(57)【特許請求の範囲】
【請求項１】
長手方向に沿って筒状に巻くことができる可撓性を有した太陽光発電シートと、
該太陽光発電シートの長手方向一端側に連設され、他端側から筒状に巻かれた太陽光発電シートの外周面上に巻かれて該太陽光発電シートを前記筒状の状態で内部に収納する同じく可撓性を有したカバーシートと、
よりなり、
前記カバーシートが、前記太陽光発電シートの幅寸法より大きい幅寸法を有し、且つ該カバーシートの左右側端縁がそれぞれ前記太陽光発電シートの左右側端縁よりも外側に位置するように連設され、該カバーシートの各側端縁を絞って筒状に巻かれた前記太陽光発電シートの左右両端部を包むように締め付ける締め付け手段を設けてなることを特徴とする携帯型太陽光発電装置。
【請求項２】
前記締め付け手段が、前記カバーシートの各側端縁に沿って該シートに通される紐と、該紐に沿って当該シート側端縁を絞った状態に保持する保持具とよりなる請求項１記載の携帯型太陽光発電装置。
【請求項３】
前記締め付け手段が、両端部をそれぞれ前記カバーシートの各側端縁の太陽光発電シート側の端部に係止するとともに、途中部を各側端縁に沿って該シートに通されて太陽光発電シートと反対側の端部から外部に延び出ている一本の紐と、該紐の前記外部に延び出ている部分に装着され、それぞれ各シート側端縁を絞った状態に保持する一対の保持具とよりなる請求項２記載の携帯型太陽光発電装置。
【請求項４】
前記締め付け手段を構成する前記紐を、前記カバーシートの各側端縁に沿って形成される複数の貫通穴に表裏交互に挿通して縫うように通してなる請求項２又は３記載の携帯型太陽光発電装置。
【発明の詳細な説明】
【技術分野】
【０００１】
本発明は、携帯性に優れ、電源のない野外や外出先等において好適に用いられる携帯型太陽光発電装置に関する。
【背景技術】
【０００２】
この種の携帯型太陽光発電装置として、従来、可撓性を有する太陽光発電シートと、該太陽光発電シートを巻き取るローラを内蔵し、前記太陽光発電シートを前記ローラに巻き取り、引き出し可能に収納する箱型の収納ケースとよりなる装置が種々提案されている（例えば、特許文献１〜３参照。）。このような太陽光発電シートは非常に軽量であり、コンパクトに収納できるメリットがある。しかしながら、シートを保護するための巻き取り用ローラ、箱型の収納ケース及びローラ回動機構を必要とするため、コスト削減、重量軽減並びにコンパクト化には一定の限界があった。一方、巻き取りローラ及びローラ回動機構を省略したものとして、特許文献４のものも提案されている。しかしながら、この場合も収納ケースを別途必要としており、使用時には当該収納ケースを別途管理する必要があるなど使い勝手がよくない。
【先行技術文献】
【特許文献】
【０００３】
【特許文献１】特開平０１−１１０７７７号公報
【特許文献２】特開２００６−８６２０３号公報
【特許文献３】特開２００９−３０２４５７号公報
【特許文献４】特開２００４−８８０４３号公報
【発明の概要】
【発明が解決しようとする課題】
【０００４】
そこで、本発明が前述の状況に鑑み、解決しようとするところは、巻き取りローラを省略した簡単な構造により更なるコスト削減、重量軽減、コンパクト化を実現できるとともに使い勝手も良く、簡単に収納、展開することができる携帯型太陽光発電装置を提供する点にある。
【課題を解決するための手段】
【０００５】
本発明は、前述の課題解決のために、長手方向に沿って筒状に巻くことができる可撓性を有した太陽光発電シートと、該太陽光発電シートの長手方向一端側に連設され、他端側から筒状に巻かれた太陽光発電シートの外周面上に巻かれて該太陽光発電シートを前記筒状の状態で内部に収納する同じく可撓性を有したカバーシートと、よりなり、前記カバーシートが、前記太陽光発電シートの幅寸法より大きい幅寸法を有し、且つ該カバーシートの左右側端縁がそれぞれ前記太陽光発電シートの左右側端縁よりも外側に位置するように連設され、該カバーシートの各側端縁を絞って筒状に巻かれた前記太陽光発電シートの左右両端部を包むように締め付ける締め付け手段を設けてなることを特徴とする携帯型太陽光発電装置を構成した（請求項１）。
【０００７】
ここで、前記締め付け手段が、前記カバーシートの各側端縁に沿って該シートに通される紐と、該紐に沿って当該シート側端縁を絞った状態に保持する保持具とよりなるものが好ましい（請求項２）。
【０００８】
更に、前記締め付け手段が、両端部をそれぞれ前記カバーシートの各側端縁の太陽光発電シート側の端部に係止するとともに、途中部を各側端縁に沿って該シートに通されて太陽光発電シートと反対側の端部から外部に延び出ている一本の紐と、該紐の前記外部に延び出ている部分に装着され、それぞれ各シート側端縁を絞った状態に保持する一対の保持具とよりなるものが好ましい（請求項３）。
【０００９】
また、前記締め付け手段を構成する紐を、前記カバーシートの各側端縁に沿って形成される複数の貫通穴に表裏交互に挿通して縫うように通してなるものが好ましい（請求項４）。
【発明の効果】
【００１２】
請求項１に係る携帯型太陽光発電装置によれば、太陽光発電シートの長手方向一端側に連設され、他端側から筒状に巻かれた太陽光発電シートの外周面上に巻かれて該太陽光発電シートを前記筒状の状態で内部に収納する同じく可撓性を有したカバーシートとよりなるので、該カバーシートが太陽光発電シートを保護する保護カバーとして機能し、従来の箱型の収納ケースや別途の収納ケースを用意する必要がなく、さらなるコスト削減、重量軽減、コンパクト化を実現できるとともに、収納の際には太陽光発電シートを巻き付けてゆき、そのままその上からカバーシートも巻き付けるだけで太陽光発電シートをカバーすることができ、また、使用の際にはカバーシートを展開し、そのまま太陽光発電シートも展開するだけで、カバーシートが付いたまま使用することができ、非常に使い勝手のよい携帯型太陽光発電装置を提供できる。
【００１３】
また、カバーシートが太陽光発電シートの幅寸法より大きい幅寸法を有し、且つ該カバーシートの左右側端縁がそれぞれ前記太陽光発電シートの左右側端縁よりも外側に位置するように連設され、該カバーシートの各側端縁を絞って筒状に巻かれた前記太陽光発電シートの左右両端部を包むように締め付ける締め付け手段を設けたので、筒状に巻かれた太陽光発電シートの左右両端部が横方向にずれて脱落することなく、筒状のまま安定した姿勢で収納保持することができるとともに、破損しやすい当該両端部も前記カバーシートの存在により保護できる。
【００１４】
請求項２に係る携帯型太陽光発電装置によれば、締め付け手段がカバーシートの各側端縁に沿って該シートに通される紐と、該紐に沿って当該シート側端縁を絞った状態に保持する保持具とより構成したので、低コストで軽量な締め付け手段を実現でき、操作も簡単で、絞った状態の紐の残部を持ち運ぶ際に肩に掛けるなど利用できるとともに当該紐を野外の木などに掛ける掛け紐として利用できる。
【００１５】
請求項３に係る携帯型太陽光発電装置によれば、締め付け手段が両端部をそれぞれ前記カバーシートの各側端縁の太陽光発電シート側の端部に係止するとともに、途中部を各側端縁に沿って該シートに通されて太陽光発電シートと反対側の端部から外部に延び出ている一本の紐と、該紐の前記外部に延び出ている部分に装着され、それぞれ各シート側端縁を絞った状態に保持する一対の保持具とより構成したので、絞った状態の紐の残部が長く、持ち運ぶ際の肩に掛ける紐として利用しやすくなるとともに当該紐を野外の木などに掛ける掛け紐として利用できる。
【００１６】
請求項４に係る携帯型太陽光発電装置によれば、締め付け手段を構成する紐を、前記カバーシートの各側端縁に沿って形成される複数の貫通穴に表裏交互に挿通して縫うように通したので、コストを掛けることなく簡易な構造で締め付け手段を構成することができる。
【図面の簡単な説明】
【００１９】
【図１】本発明の代表的実施形態に係る携帯型太陽光発電装置を展開した状態（使用時の状態）を示す平面図。
【図２】同じく携帯型太陽光発電装置を収納した状態を示す斜視図。
【図３】同じく携帯型太陽光発電装置を収納する手順を説明するための説明図。
【図４】同じく携帯型太陽光発電装置を電源装置に接続した様子を示す要部の説明図。
【図５】同じく携帯型太陽光発電装置の締め付け手段の変形例を示す説明図。
【図６】同じく締め付け手段の他の変形例を示す説明図。
【発明を実施するための形態】
【００２０】
次に、本発明の実施形態を添付図面に基づき詳細に説明する。
【００２１】
本発明に係る携帯型太陽光発電装置１は、図１、２に示すように、長手方向に沿って筒状に巻くことができる可撓性を有した太陽光発電シート２と、該太陽光発電シート２の長手方向一端側に連設され、他端側から筒状に巻かれた太陽光発電シート２の外周面上に巻かれて該太陽光発電シート２を前記筒状の状態で内部に収納する同じく可撓性を有したカバーシート３とより構成されている。このような携帯型太陽光発電装置１は、電源のない野外や外出先等において簡易な発電装置として広く利用することができ、別途の収納容器を必要とせず、軽量かつ簡単に展開／収納することができる手軽な携帯型の装置として使用できる。
【００２２】
太陽光発電シート２は、フィルム型アモルファス太陽電池２０が好適に使用でき、これを該太陽電池２０よりも若干大きな寸法を有する合成樹脂又は合成ゴム製の基台シートの上面に貼り付けて構成してもよいし、直接用いてもよい。本例ではフッ素系樹脂からなる基材シートを有する太陽電池２０をそのまま用いている。太陽電池２０は、カバーシート３側である一端側と反対側である他端側とにそれぞれプラス／マイナスの出力電極２３ａ、２３ｂを有する構造であり、一端側の電極２３ａから他端側に向けて該太陽光発電シート２（太陽電池２０）の端縁に沿った太陽電池セルの存在しない部分に配線２４が付設されている。
【００２３】
配線２４は、銅箔テープを貼る構造も可能であるが、太陽光発電シート２の巻き／展開の繰り返しで銅箔が断線する虞があるため、本例では配線２４としてリード線を付設している。このリード線はテープで貼り付けて固定することも可能であるが、太陽電池２０が本例のようにフッ素系樹脂など接着性の悪い素材には適していないので、太陽光発電シート２の端縁に沿ってリード線よりやや大きい貫通穴を所定間隔おきに複数形成し、リード線をこれに表裏交互に挿通して縫うように取り付けることで弛みの無い配線構造を実現している。
【００２４】
このリード線（配線２４）の先端部２４ａは、電極２３ｂの近くまで配線され、そこで図４に示すように、この配線２４と電極２３ｂは、出力プラグ２５ｃを備えた出力ケーブル２５の基端部に接続されている。図中符号６は、必要に応じてＤＣ−ＤＣコンバータやＤＣ−ＡＣインバータを搭載した電源装置であり、入力側に前記携帯型太陽光発電装置１の出力プラグ２５ｃを複数接続することで携帯型太陽光発電装置１を複数並列に接続して発電量を高めることができるように構成されている。符号６１は電源装置６の出力側に接続された電源を取り出すための電源ケーブルであり、各種機器に接続して該機器を充電することができる。勿論、電源装置６に蓄電池を内蔵してもよい。太陽光発電シート２の四隅には、ロープ等を通して野外の木等に展開状態で支持させることができるように鳩目２６が設けられている。
【００２５】
カバーシート３は、太陽光発電シート２の幅寸法より大きい幅寸法を有し、且つ該カバーシート３の左右側端縁３１ａ，３１ｂがそれぞれ太陽光発電シート２の左右側端縁２１ａ，２１ｂよりも外側に位置するように連設されている。このような幅の寸法、位置関係は、カバーシート３の各側端縁３１ａ，３１ｂを絞ることにより、筒状に巻かれた太陽光発電シートの左右両端部２２ａ，２２ｂを包むように締め付けるためである。
【００２６】
カバーシート３の素材は、光を透過させないフロント投写型の映写スクリーン生地が用いられている。このような遮光性のシートを採用することで、収納状態で内部の太陽電池が発電することを防止し、感電等を未然に回避して安全性を高めることができる。本発明はこのようなスクリーン生地に限らず、カバーシート３として紙等の繊維、皮、合成樹脂、ゴム、金属などの種々の素材を選択できる。カバーシート３と太陽光発電シート２は、金属製の雄雌の円形ホック５２、５３で互いに着脱可能に連結されている。これにより、いずれかのシートが破損等した場合にも破損したシートのみ交換できるように構成され、また、リサイクル等を容易としている。ホックを鉤形としたり、金属以外の合成樹脂製としてもよい。その他の留め具でもよい。また、接着剤などで着脱不能に接合してもよい。
【００２７】
該カバーシートの各側端縁３１ａ，３１ｂには、上述のとおり当該側端縁３１ａ，３１ｂを絞って筒状に巻かれた太陽光発電シート２の左右両端部２２ａ，２２ｂを包むように締め付ける締め付け手段４が設けられている。締め付け手段４は、カバーシート３の各側端縁３１ａ，３１ｂに沿って該シート３に通される紐４０と、紐４０に沿って当該シート側端縁３１ａ，３１ｂを絞った状態に保持する保持具４１，４１とから構成されている。
【００２８】
より具体的には、両端部をそれぞれカバーシート３の各側端縁３１ａ，３１ｂの太陽光発電シート２側の端部３１ｃに係止するとともに、途中部を各側端縁３１ａ，３１ｂに沿って該シート３に通されて太陽光発電シート２と反対側の端部３１ｄから外部に延び出ている一本の紐４０と、該紐４０の前記外部に延び出ている部分に装着され、それぞれ各シート側端縁３１ａ，３１ｂを絞った状態に保持する一対の保持具４１，４１とから構成されている。
【００２９】
紐４０は、カバーシート３の各側端縁３１ａ，３１ｂに沿って形成される複数の貫通穴３２に表裏交互に挿通して縫うように通され、紐４０の両端部は、該端部を結んで貫通穴３２よりも大きな結び部４２を形成することで、当該両端部がカバーシート３の端部３１ｃの貫通穴３２から抜けないようにして係止されている。このような結び部４２を設けるかわりに該両端部に同じく貫通穴３２よりも大きな筒状の係止部材をカシメ等で取り付けたものでもよい。更に、紐４０の両端部をカバーシート３の端部３１ｃに縫い付け或いは接着してもよい。また本例では、紐４０を貫通穴３２に交互に挿通しているが、このような貫通穴３２を設けるかわりにカバーシート３の側端縁３１ａ，３１ｂを折り返して先端を接合することで筒状部を形成し、これに紐４０を通すように構成しても勿論よい。
【００３０】
カバーシート３の太陽光発電シート２の長手方向に沿った寸法は、少なくとも筒状に巻かれた太陽光発電シート２の外周面の周方向長さよりも長い寸法を有して、筒状の太陽光発電シート２を完全に包み込むことができるようにされているが、これに必ずしも限定されるものではない。本例ではカバーシート３の太陽光発電シート２と反対側の端部３３内面には、太陽光発電シート２の外周面上に巻かれた当該カバーシート３外面に係止される係止手段５が設けられている。係止手段５は、本例では端部３３内面及び外面に互いに係合する金属製の雄雌の円形ホック５０，５１を設けたものであるが、鉤形のホックやその素材も樹脂製のホックなどその他の留め具でもよい。また、面ファスナーであってもよい。
【００３１】
このような携帯型太陽光発電装置１は、図３（ａ）に示すように太陽電池側を外側に向けてカバーシート３と反対側の端部から太陽光発電シート２を巻き付けてゆき、筒状に巻き終えた後、そのままその上からカバーシート３を巻き付けた後、係止手段５の円形ホック５０，５１を止めることでカバーシート３を筒状に保持する。そして、紐４０を引っ張りながら保持具４１，４１によりそれぞれ筒状のカバーシート３の側端縁３１ａ，３１ｂを絞り込み、筒状の太陽光発電シート２の両端部２２ａ，２２ｂを包み込ませて、図３（ｃ）に示す収納状態とすることができる。このように太陽電池側を外側に向けて巻き付けることにより、保持具４１を緩めて係止手段５を解除し、カバーシート３及び太陽光発電シート２を展開して使用する際、太陽光発電シート２に巻き癖が残ったとしても、その巻き癖は太陽電池側が凸となる巻き癖となるため、太陽電池側が影になってしまう可能性は少なく、発電効率低下の影響は殆どない。使用の態様にもよるが、例えば展開された太陽光発電シート２が太陽電池側を上に向けて地面等に載置されると、凸状にカーブした上面はシートの自重により真っ直ぐの状態に戻ろうとするのである。
【００３２】
図５は、締め付け手段４の変形例を示している。この変形例は、各側端縁３１ａ，３１ｂにそれぞれ互いに独立した紐４０，４０を通し、且つ各紐４０にそれぞれ保持具４１を設けたものであり、合計２本の紐４０で締め付け手段４が構成されている。シート側端縁３１ａ，３１ｂは、それぞれ各紐４０と保持具４１により完全に独立して締め付け操作が行なわれ、絞った状態においては両端部からそれぞれ各紐４０の残部がループ状に延出した状態となる。
【００３３】
また図６は、締め付け手段４の他の変形例を示している。この例では、紐の代わりにゴム紐等の細長な弾性部材をシート側端縁３１ａ，３１ｂに沿ってそれぞれ伸長された状態で設けたものであり、上述の紐のように通して両端を係止したものや一体的に縫いつけ或いは貼り付け等したものでもよい。これによりシート側端縁３１ａ，３１ｂは縮んで絞ろうとする力が働き、筒状に巻かれた太陽光発電シートの左右両端部２２ａ，２２ｂを包むように締め付けることができる。
【００３４】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００３５】
１  携帯型太陽光発電装置
２  太陽光発電シート
３  カバーシート
４  締め付け手段
５  係止手段
６  電源装置
２０  太陽電池
２１ａ，２１ｂ  側端縁
２２ａ，２２ｂ  端部
２３ａ  電極
２３ｂ  電極
２４  配線
２４ａ  先端部
２５  出力ケーブル
２５ｃ  出力プラグ
２６  鳩目
３１ａ，３１ｂ  側端縁
３１ｃ  端部
３１ｄ  端部
３２  貫通穴
３３  端部
４０  紐
４１  保持具
４２  結び部
５０，５１  円形ホック
５２，５３  円形ホック
６１  電源ケーブル
【図１】
0005516115.tif 000002
【図２】
0005516115.tif 000003
【図３】
0005516115.tif 000004
【図４】
0005516115.tif 000005
【図５】
0005516115.tif 000006
【図６】
0005516115.tif 000007